(57)【特許請求の範囲】
【請求項１】
入力される３Ｄ映像信号から左目用信号、右目用信号が時間的に交互に並べ替えられた信号に変換する信号処理部と、 
前記信号処理部が出力する前記左目用信号、前記右目用信号が時間的に交互に並べ替えられた信号に対し後記駆動装置に於いて駆動階調が常に最大駆動階調未満となるよう予め定められた係数X（０＜X＜１）を乗算する映像信号減衰部と、
前記係数Xが乗算されて減衰した信号に基づいて、ステップビットパルスにより全サブフレームを構成し、駆動階調が１のときに最後のサブフレームが駆動状態となり、駆動階調が１増加する毎に駆動状態となるサブフレームが１個ずつ既に駆動状態となっているサブフレームの前に向かって増加し、最大駆動階調未満では最初のサブフレームが必ず非駆動状態になるように定められた駆動階調テーブルによりサブフレームデータを作成するサブフレームデータ作成部を有する駆動装置と、 
前記駆動装置で駆動される液晶表示素子と、 
前記液晶表示素子に照明光を入射させる照明光学系と、 
前記液晶表示素子から射出された変調光を投射する投射レンズと、
を備えることを特徴とする立体映像表示装置。 
【請求項２】
入力される３Ｄ映像信号から左目用信号、右目用信号が時間的に交互に並べ替えられた信号に変換する信号処理部と、 
前記信号処理部が出力する前記左目用信号、前記右目用信号が時間的に交互に並べ替えられた信号に対し後記駆動装置に於いて駆動階調が常に最大駆動階調未満となるよう予め定められた係数X（０＜X＜１）を乗算する映像信号減衰部と、
Ｎ、Ｍ、Ｆ、Ｄを整数としたときに、前記係数Xが乗算されて減衰したビット数Ｎの信号データを逆ガンマ補正および直線補間を行ってＮより大きい（Ｍ＋Ｆ＋Ｄ）ビットのデータに変換するルックアップテーブル部と、前記ルックアップテーブル部で処理された（Ｍ＋Ｆ＋Ｄ）ビットのデータを誤差拡散処理により（Ｍ＋Ｆ）ビットのデータに変換する誤差拡散部と、前記誤差拡散部で処理された（Ｍ＋Ｆ）ビットのデータをフレームレートコントロールによりＭビットのデータに変換するフレームレートコントロール部と、前記フレームレートコントロール部で処理されたＭビットのデータを用いるとともに、ステップビットパルスにより全サブフレームを構成し、駆動階調が１のときに最後のサブフレームが駆動状態となり、駆動階調が１増加する毎に駆動状態となるサブフレームが１個ずつ既に駆動状態となっているサブフレームの前に向かって増加し、最大駆動階調未満では最初のサブフレームが必ず非駆動状態になるように定められた駆動階調テーブルによりサブフレームデータを作成するサブフレームデータ作成部と、を備えることを特徴とする駆動装置と、 
前記駆動装置で駆動される液晶表示素子と、 
前記液晶表示素子に照明光を入射させる照明光学系と、 
前記液晶表示素子から射出された変調光を投射する投射レンズと、
を備えることを特徴とする立体映像表示装置。 
【請求項３】
入力される３Ｄ映像信号から左目用信号、右目用信号が時間的に交互に並べ替えられた信号に変換する信号処理部と、
前記信号処理部が出力する前記左目用信号、前記右目用信号が時間的に交互に並べ替えられた信号に対し後記駆動装置に於いて駆動階調が常に最大駆動階調未満となるよう予め定められた係数X（０＜X＜１）を乗算する映像信号減衰部と、
前記係数Xが乗算されて減衰した信号に基づいて、異なる駆動期間を少なくとも一部に有するサブフレームを構成し、駆動階調が１のときに最後のサブフレームが駆動状態となり、駆動階調が１増加する毎に駆動状態となるサブフレームが１個ずつ既に駆動状態となっているサブフレームの前に向かって増加し、最大駆動階調未満では最初のサブフレームが必ず非駆動状態になるように定められた駆動階調テーブルによりサブフレームデータを作成するサブフレームデータ作成部を有する駆動装置と、 
前記駆動装置で駆動される液晶表示素子と、 
前記液晶表示素子に照明光を入射させる照明光学系と、 
前記液晶表示素子から射出された変調光を投射する投射レンズと、 
を備えることを特徴とする立体映像表示装置。 
【請求項４】
入力される３Ｄ映像信号から左目用信号、右目用信号が時間的に交互に並べ替えられた信号に変換する信号処理部と、 
前記信号処理部が出力する前記左目用信号、前記右目用信号が時間的に交互に並べ替えられた信号に対し後記駆動装置に於いて駆動階調が常に最大駆動階調未満となるよう予め定められた係数X（０＜X＜１）を乗算する映像信号減衰部と、
Ｎ、Ｍ、Ｆ、Ｄを整数としたときに、前記係数Xが乗算されて減衰したビット数Ｎの信号を直線補間してＮより大きい（Ｍ＋Ｆ＋Ｄ）ビットのデータに変換する信号変換部と、前記信号変換部で処理された（Ｍ＋Ｆ＋Ｄ）ビットのデータを誤差拡散処理により（Ｍ＋Ｆ）ビットのデータに変換する誤差拡散部と、前記誤差拡散部で処理された（Ｍ＋Ｆ）ビットのデータをフレームレートコントロールによりＭビットのデータに変換するフレームレートコントロール部と、前記フレームコントロール部で処理されたＭビットのデータを用い、駆動階調が１のときに最後のサブフレームが駆動状態となり、駆動階調が１増加する毎に駆動状態となるサブフレームが１個ずつ既に駆動状態となっているサブフレームの前に向かって増加し、最大駆動階調未満では最初のサブフレームが必ず非駆動状態になるように定められるとともに、入力映像信号データに対する液晶の光出力が逆ガンマ特性となるようにサブフレーム毎の駆動期間を異ならせた
駆動階調テーブルによりサブフレームデータを作成するサブフレームデータ作成部と、を備えることを特徴とする駆動装置と、 
前記駆動装置で駆動される液晶表示素子と、 
前記液晶表示素子に照明光を入射させる照明光学系と、 
前記液晶表示素子から射出された変調光を投射する投射レンズと、 
を備えることを特徴とする立体映像表示装置。 
【請求項５】
前記信号処理部から出力される同期信号に基づき時間的に交互に切り替わる左目用液晶シャッタと右目用液晶シャッタを有する液晶シャッタめがねを更に備え、
前記右目用液晶シャッタと前記左目用液晶シャッタが切り替わるタイミングに前記駆動装置の前記サブフレームデータ作成部がブランキングを発生することを特徴とする請求項１〜４のいずれか１項に記載の立体映像表示装置。
【発明の詳細な説明】
【技術分野】
【０００１】
本発明は、両眼視差による立体映像を結像させることが可能な立体映像表示装置に関する。
【背景技術】
【０００２】
近年、視差を有する２以上の映像をスクリーン等に提示し、観察者に対してあたかも対象が立体的に存在するように知覚させる立体映像表示装置が脚光を浴びている。従来、立体映像を投影する場合には２台の液晶プロジェクタ等を用いる手法が一般的であった。近年では、１台の液晶プロジェクタ等で立体映像を投影することが盛んになりつつある。その際には通常、観察者は液晶シャッタめがねを装着し、液晶シャッタの切換により左目には左目用の映像の光が右目には右目用の映像の光が入射されることで、立体映像を観察することができる。 
特許文献１には、液晶シャッタめがねの切換タイミングを制御することにより、フレーム周波数を高めたときに発生するクロストークを抑制することができる立体映像表示装置が開示されている。
【先行技術文献】
【特許文献】
【０００３】
【特許文献１】特開２００９−３１５２３号公報
【発明の概要】
【発明が解決しようとする課題】
【０００４】
ところで、立体投影時のクロストークの発生原因は液晶シャッタのみならず立体表示装置側にも存在する。具体的には、液晶表示装置を立体映像表示装置に用いる場合における液晶表示素子の応答特性に起因するクロストークを有効に低減することが求められている。 
そこで、本発明は、このような状況に鑑みてなされたものであり、１台の液晶プロジェクタで立体映像を表示する場合のクロストークを低減させることができるような立体映像表示装置を提供することを目的とする。 
【課題を解決するための手段】
【０００５】
本発明は、上述した従来の技術の課題を解決するため、入力される３Ｄ映像信号から左目用信号、右目用信号が時間的に交互に並べ替えられた信号に変換する信号処理部と、 
前記信号処理部が出力する前記左目用信号、前記右目用信号が時間的に交互に並べ替えられた信号に対し後記駆動装置に於いて駆動階調が常に最大駆動階調未満となるよう予め定められた係数X（０＜X＜１）を乗算する映像信号減衰部と、
前記係数Xが乗算されて減衰した信号に基づいて、ステップビットパルスにより全サブフレームを構成し、駆動階調が１のときに最後のサブフレームが駆動状態となり、駆動階調が１増加する毎に駆動状態となるサブフレームが１個ずつ既に駆動状態となっているサブフレームの前に向かって増加し、最大駆動階調未満では最初のサブフレームが必ず非駆動状態になるように定められた駆動階調テーブルによりサブフレームデータを作成するサブフレームデータ作成部を有する駆動装置と、 
前記駆動装置で駆動される液晶表示素子と、 
前記液晶表示素子に照明光を入射させる照明光学系と、 
前記液晶表示素子から射出された変調光を投射する投射レンズと、
を備えることを特徴とする立体映像表示装置を提供する。
【０００６】
また、入力される３Ｄ映像信号から左目用信号、右目用信号が時間的に交互に並べ替えられた信号に変換する信号処理部と、 
前記信号処理部が出力する前記左目用信号、前記右目用信号が時間的に交互に並べ替えられた信号に対し後記駆動装置に於いて駆動階調が常に最大駆動階調未満となるよう予め定められた係数X（０＜X＜１）を乗算する映像信号減衰部と、
Ｎ、Ｍ、Ｆ、Ｄを整数としたときに、前記係数Xが乗算されて減衰したビット数Ｎの信号データを逆ガンマ補正および直線補間を行ってＮより大きい（Ｍ＋Ｆ＋Ｄ）ビットのデータに変換するルックアップテーブル部と、前記ルックアップテーブル部で処理された（Ｍ＋Ｆ＋Ｄ）ビットのデータを誤差拡散処理により（Ｍ＋Ｆ）ビットのデータに変換する誤差拡散部と、前記誤差拡散部で処理された（Ｍ＋Ｆ）ビットのデータをフレームレートコントロールによりＭビットのデータに変換するフレームレートコントロール部と、前記フレームレートコントロール部で処理されたＭビットのデータを用いるとともに、ステップビットパルスにより全サブフレームを構成し、駆動階調が１のときに最後のサブフレームが駆動状態となり、駆動階調が１増加する毎に駆動状態となるサブフレームが１個ずつ既に駆動状態となっているサブフレームの前に向かって増加し、最大駆動階調未満では最初のサブフレームが必ず非駆動状態になるように定められた駆動階調テーブルによりサブフレームデータを作成するサブフレームデータ作成部と、を備えることを特徴とする駆動装置と、 
前記駆動装置で駆動される液晶表示素子と、 
前記液晶表示素子に照明光を入射させる照明光学系と、 
前記液晶表示素子から射出された変調光を投射する投射レンズと、
を備えることを特徴とする立体映像表示装置を提供する。
【０００７】
また、入力される３Ｄ映像信号から左目用信号、右目用信号が時間的に交互に並べ替えられた信号に変換する信号処理部と、
前記信号処理部が出力する前記左目用信号、前記右目用信号が時間的に交互に並べ替えられた信号に対し後記駆動装置に於いて駆動階調が常に最大駆動階調未満となるよう予め定められた係数X（０＜X＜１）を乗算する映像信号減衰部と、
前記係数Xが乗算されて減衰した信号に基づいて、異なる駆動期間を少なくとも一部に有するサブフレームを構成し、駆動階調が１のときに最後のサブフレームが駆動状態となり、駆動階調が１増加する毎に駆動状態となるサブフレームが１個ずつ既に駆動状態となっているサブフレームの前に向かって増加し、最大駆動階調未満では最初のサブフレームが必ず非駆動状態になるように定められた駆動階調テーブルによりサブフレームデータを作成するサブフレームデータ作成部を有する駆動装置と、 
前記駆動装置で駆動される液晶表示素子と、 
前記液晶表示素子に照明光を入射させる照明光学系と、 
前記液晶表示素子から射出された変調光を投射する投射レンズと、 
を備えることを特徴とする立体映像表示装置を提供する。
【０００８】
さらに、入力される３Ｄ映像信号から左目用信号、右目用信号が時間的に交互に並べ替えられた信号に変換する信号処理部と、 
前記信号処理部が出力する前記左目用信号、前記右目用信号が時間的に交互に並べ替えられた信号に対し後記駆動装置に於いて駆動階調が常に最大駆動階調未満となるよう予め定められた係数X（０＜X＜１）を乗算する映像信号減衰部と、
Ｎ、Ｍ、Ｆ、Ｄを整数としたときに、前記係数Xが乗算されて減衰したビット数Ｎの信号を直線補間してＮより大きい（Ｍ＋Ｆ＋Ｄ）ビットのデータに変換する信号変換部と、前記信号変換部で処理された（Ｍ＋Ｆ＋Ｄ）ビットのデータを誤差拡散処理により（Ｍ＋Ｆ）ビットのデータに変換する誤差拡散部と、前記誤差拡散部で処理された（Ｍ＋Ｆ）ビットのデータをフレームレートコントロールによりＭビットのデータに変換するフレームレートコントロール部と、前記フレームコントロール部で処理されたＭビットのデータを用い、駆動階調が１のときに最後のサブフレームが駆動状態となり、駆動階調が１増加する毎に駆動状態となるサブフレームが１個ずつ既に駆動状態となっているサブフレームの前に向かって増加し、最大駆動階調未満では最初のサブフレームが必ず非駆動状態になるように定められるとともに、入力映像信号データに対する液晶の光出力が逆ガンマ特性となるようにサブフレーム毎の駆動期間を異ならせた
駆動階調テーブルによりサブフレームデータを作成するサブフレームデータ作成部と、を備えることを特徴とする駆動装置と、 
前記駆動装置で駆動される液晶表示素子と、 
前記液晶表示素子に照明光を入射させる照明光学系と、 
前記液晶表示素子から射出された変調光を投射する投射レンズと、 
を備えることを特徴とする立体映像表示装置を提供する。
【０００９】
上記の構成において、前記信号処理部から出力される同期信号に基づき時間的に交互に切り替わる左目用液晶シャッタと右目用液晶シャッタを有する液晶シャッタめがねとを更に備え、
前記右目用液晶シャッタと前記左目用液晶シャッタが切り替わるタイミングに前記駆動部の前記サブフレームデータ作成部がブランキングを発生するようにしてもよい。
【発明の効果】
【００１０】
本発明によれば、１台の液晶プロジェクタで立体映像を表示する場合のクロストークを低減させることができるような立体映像表示装置を提供することができる。
【図面の簡単な説明】
【００１１】
【図１】液晶表示装置１００を用いた立体映像表示装置による立体表示を説明するための図である。
【図２】反射型液晶表示素子を用いた液晶表示装置を示す概略構成図である。
【図３】デジタル駆動の反射型液晶表示素子における各画素の駆動回路構成を示す図である。
【図４】第１の実施形態における反射型液晶表示素子の入力電圧と出力光の強度との関係を示す図である。
【図５】３Ｄ映像信号に関する信号処理を説明するための図である。
【図６】デコードされた３Ｄ信号と液晶シャッタめがね１０３の時間的関係を示す図である。
【図７】本発明の第１の実施形態に係る駆動回路（駆動装置）を示すブロック図である。
【図８】第１の実施形態における階調表現を説明するための図である。
【図９】第１の実施形態における駆動パターンを示す図である。
【図１０】第１の実施形態における駆動階調テーブルを示す図である。
【図１１】第１の実施形態における誤差拡散図を示す図である。
【図１２】第１の実施形態における誤差拡散フローを示す図である。
【図１３】第１の実施形態におけるフレームレートコントロールフローを示す図である。
【図１４】は第１の実施形態におけるフレームレートコントロールテーブルを示す図である。
【図１５】クロストークの発生を説明するための画面を示す図である。
【図１６】図１５の画像を立体映像表示装置にて３Ｄ（立体）表示をしたときに液晶表示装置１００からスクリーン上の投影される像を示す図である。
【図１７】図１６に示す領域１、領域２、領域３、領域３’のそれぞれについて、画面の階調の時間変化を示す図である。
【図１８】図１５の画像を立体表映像示装置にて立体（３Ｄ）表示をしたときに液晶シャッタめがね１０３を装着した際の見え方を示す図である。
【図１９】領域２と領域３における液晶表示素子の応答特性を比較した図である。
【図２０】駆動階調テーブルの比較例を示す図である。
【図２１】Ｆ２フィールドが階調Ｌ、Ｆ１フィールドが階調Ｈおよび階調Ｌの場合において、駆動階調テーブルが比較例である図２０の場合（Ａ、Ｂ）と第１の実施形態である図１０の場合（Ｃ、Ｄ）との駆動状態を模式的に比較した図である。
【図２２】図２１において注目する階調をＨとした場合の比較を示す図である。
【図２３】信号処理回路１０１と駆動回路１０３の間に挿入する映像信号減衰部１０５を示す図である。
【図２４】第１の実施形態における信号処理を示す図である。
【図２５】第１の実施形態における反射型液晶表示素子の極性反転駆動を示す図である。
【図２６】反射型液晶素子における横方向電界の発生メカニズムを説明する図である。
【図２７】フレームレートコントロールにより、横方向電界が均等に分散されることを説明する図である。
【図２８】第２の実施形態に係る駆動回路（駆動装置）を示すブロック図である。
【図２９】第２の実施形態における駆動パターンの１例を示す図である。
【図３０】第２の実施形態における各サブフレーム毎の期間が変更されていることを説明した図である。
【図３１】第２の実施の形態において、各サブフレーム期間を調節して、駆動階調毎の輝度がガンマ２．２の線上にあることを表している図である。
【発明を実施するための形態】
【００１２】
＜第１の実施形態＞
以下、本発明に係る立体映像表示装置について、添付図面を参照して説明する。以下では表示パネルとしてアクティブマトリクス型の反射型液晶表示素子６を備えた液晶表示装置１００を用いた立体映像表示装置を例にして説明する。
【００１３】
図１は、液晶表示装置１００を用いた立体映像表示装置による立体表示を説明するための図である。立体映像信号源１０４から３Ｄ映像信号が液晶表示装置１００に送られる。液晶表示装置１００では、３Ｄ映像信号を所定の回路により時間順次の左目用信号と右目用信号に変換し交互にスクリーン上に投影する。液晶表示装置１００に内蔵または接続されている液晶シャッタ駆動信号送信機１０３からの駆動信号によりシャッタ動作を行う液晶シャッタめがね１０５を観察者は装着してスクリーン１３に投影された立体映像を観察する。
【００１４】
次に、液晶表示装置１００および反射型液晶表示素子６の概略構成について説明する。図２は、反射型液晶表示素子６を用いた液晶表示装置１００を示す概略構成図である。液晶表示装置１００は、概略、反射型液晶表示素子６、偏光ビームスプリッタ５（以下、ＰＢＳという）、投射レンズ１３を含んで構成される。反射型液晶表示素子６は、対向電極（透明電極ともいう）１０と、画素電極８との間に液晶９が封止された構造を有する。
【００１５】
照明光学系１から射出したＳ偏光３とＰ偏光４を含む光２はＰＢＳ５に入射する。ＰＢＳ５にて偏光分離される。Ｓ偏光３はＰＢＳ５の偏光分離面で反射され、反射型液晶表示素子６側に進行する。Ｐ偏光はＰＢＳの偏光分離面を透過する。反射型液晶表示素子６の液晶９は、画素回路７によって画素電極８と対向電極１０の間に印加される電圧に応じて入射したＳ偏光を変調する。対向電極１０に入射したＳ偏光は、画素電極８で反射して対向電極１０から射出するまでの過程で変調を受け、Ｐ偏光とＳ偏光からなる光として対向電極１０から射出される。対向電極１０から射出された光は変調された光であるＰ偏光成分のみがＰＢＳ５を通過し、Ｓ偏光成分はＰＢＳ５で反射される。ＰＢＳ５を通過したＰ偏光は投射レンズ１１によって射出され、射出光１２はスクリーン１３上に投射されて画像が表示される。なお、後述する出力光の強度とは、スクリーン１３上で測定した出力光の照度をいう。
【００１６】
図３はデジタル駆動の反射型液晶表示素子６における各画素の駆動回路構成を示す図である。反射型液晶表示素子６の個々の画素は画素電極８と対向電極１０の間に液晶９がはさまれた構造になっている。破線で示した画素回路７は、サンプルホールド部１６と電圧選択回路１７からなる。サンプルホールド部１６はＳＲＡＭ構造のフリップフロップよりなる。サンプルホールド部１６は列データ線Ｄと行選択線Ｗとに接続されている。サンプルホールド部１６の出力は電圧選択回路１７へと接続されている。電圧選択回路１７はブランキング電圧線Ｖ０、駆動電圧線Ｖ１に接続されている。電圧選択回路１７は画素電極８へと接続され、画素電極８に所定の電圧を与える。対向電極１０の電圧の値は共通電圧Ｖｃｏｍと呼ばれている。
【００１７】
図４は以下の各の実施形態における反射型液晶表示素子６の入力電圧と出力光の強度との関係を示す図である。図４において、横軸は入力電圧であり、画素電極８と対向電極１０との間の電位差、すなわち液晶９の駆動電圧を示す。縦軸は、液晶９から射出される出力光の強度を示す。液晶９から射出される出力光の強度が大きくなり始める電圧が闇値電圧Ｖｔｈである。電圧が０（たとえば、画素電極８と対向電極がともにＧＮＤ）のときは、出力光の強度が少なく、黒状態（ブランキング電圧）であり、出力光が飽和し始める電圧が飽和電圧Ｖｗ（白レベルである。）である。
【００１８】
図５は３Ｄ映像信号に関する信号処理を説明するための図である。立体映像信号源１０４から送出される３Ｄ映像信号は信号処理部としての信号処理回路１０１へ入力される。図５では例として、３Ｄ映像信号が６０Ｈｚのサイドバイサイド方式の場合を示している。信号処理部としての信号処理回路１０１では、入力された信号は左目用信号と右目用信号に分離され、それぞれ表示画面サイズと等しくなるよう左右に伸長される。伸長された左目用信号、右目用信号は時間的に交互に並べ替えられ、表示速度が２倍に変換される。このようにデコードされた映像信号は駆動回路１０２に入力する。駆動回路１０２はデコードされた映像信号に基づいて反射型液晶表示素子６を駆動する。デコードされた映像信号と同期する同期信号は信号処理回路１０１から液晶シャッタ駆動信号送信機１０３に送られる。
【００１９】
液晶シャッタ駆動信号送信機１０３は同期信号に基づいて液晶シャッタの駆動タイミングを決定し、液晶シャッタ駆動信号を液晶シャッタめがね１０５に出力する。液晶シャッタめがね１０５の液晶シャッタは液晶シャッタ駆動信号に基づいて駆動される。図５では３Ｄ映像信号が６０Ｈｚサイドバイサイド方式で入力される様子を示したが、この方式に限定されず他の周波数（例えば５０Ｈｚや２４Ｈｚなど）や他の立体映像フォーマット（例えばフレームパッキングやトップアンドボトム、ラインバイラインなど）でもよい。また信号処理回路１０１は３Ｄ映像信号を２倍の周波数の信号に変換するが、周波数の変換は２倍に限定されず、これ以上でもよい。画面解像度も、画素数１９２０×１０８０以外であってもよい。
【００２０】
図７は本発明の第１の実施形態に係る駆動回路（駆動装置）１０２を示すブロック図である。図８は第１の実施形態における階調表現を説明するための図である。図８は入力された映像信号データのビット数を８ビットとした場合における各プロセス部における階調表現の例を示している。図９は第１の実施形態における駆動パターンを示す図である。図１０は第１の実施形態における駆動階調テーブルを示す図である。図１１は第１の実施形態における誤差拡散図を示す図である。図１２は第１の実施形態における誤差拡散フローを示す図である。図１３は第１の実施形態におけるフレームレートコントロールフローを示す図である。図１４は第１の実施形態におけるフレームレートコントロールテーブルを示す図である。
【００２１】
図７において、Ｎビットの入力された映像信号データは、ルックアップテーブル部２１にて、Ｎより大きい（Ｍ＋Ｆ＋Ｄ）ビットのデータに変換される。ここで、Ｍはサブフレーム数を２進数で表したときのビット数、Ｄは誤差拡散処理部２３により補間されるビット数、Ｆはフレームレートコントロール部２４により補間されるビット数を表している。なおＮ、Ｍ、Ｆ、Ｄは整数である。
【００２２】
図８の例では、入力された映像信号データのビット数は８ビット（Ｎ＝８）、誤差拡散処理部２３にて補間されるビット数は４ビット（Ｄ＝４）、フレームレートコントロール部２４にて補間されるビット数は２ビット（Ｆ＝２）としている。サブフレーム数を２進数で表した場合のビット数は４ビット（Ｍ＝４）、駆動階調は１２個（黒を含まない）としている。
【００２３】
ここでルックアップテーブル部２１の動作を説明する。一般的に映像信号はガンマ補正がかけられている。画像表示装置側ではガンマ補正がかけられた映像信号に対し逆ガンマ補正処理を施してリニアな階調に戻すことが必要である。逆ガンマ補正とは入力Ｘに対して出力がＸの２．２乗となるような補正である。この場合、出力特性は「ガンマ２．２」であると以下表現する。ルックアップテーブル部２１は反射型液晶表示素子６の入出力特性を変換してガンマ２．２の出力特性を有する液晶表示装置を実現する機能を担っている。ルックアップテーブルは、１０ビットの出力が、任意の出力特性（例えばガンマ２．２）となるようにあらかじめ調整されている。例えば、第１の実施形態では図７に示す１２個の駆動階調（黒を含まない）のそれぞれの駆動による画像を図１に示す液晶表示装置で投影し、スクリーン１３上の照度を照度計等でそれぞれ測定しておく。それぞれの駆動階調間の照度を６ビット（Ｍ＋Ｄ＝６）（６４階調）で直線補間することによって、０〜７６８の階調毎の照度データが予測される。それらの照度データから任意の出力特性（例えばガンマ２．２）となるような２５６個のデータを選び、あらかじめルックアップテーブルとして保持されているものとする。
【００２４】
ルックアップテーブル部２１は、２５６ｘ１０ビット（すなわち、「２の８乗」階調ｘ（４＋２＋４）ビット）のルックアップテーブルを有している。ここで、「２の８乗」階調ｘ（４＋２＋４）ビットとは、「２のＮ乗」階調ｘ（Ｍ＋Ｆ＋Ｄ）ビットに対してＮ＝８、Ｍ＝４、Ｆ＝２、Ｄ＝４の値を代入したものに相当する。ルックアップテーブル部２１は、入力された８ビットの画像データを、１０ビットのデータに変換して出力する。
【００２５】
図７に戻り、ルックアップテーブル部２１にて（Ｍ＋Ｆ＋Ｄ）ビットに変換された映像信号データは、誤差拡散部２３により下位Ｄビットの情報を周辺画素に拡散することによって、（Ｍ＋Ｆ）ビットのデータに変換される。図８の例では、変換された１０ビットのデータは、誤差拡散部２３にて、下位４ビットの情報を周辺画素に拡散し上位６ビットのデータに量子化して出力される。
【００２６】
誤差拡散法とは、表示すべき映像信号と実表示値との誤差（表示誤差）を周辺の画素に拡散することで階調不足を補う方法である。第１の実施形態においては、表示すべき映像信号の下位４ビットを表示誤差とし、図１１のように右隣の画素に表示誤差の７／１６を、左下の画素に表示誤差の３／１６を、直下の画素に表示誤差の５／１６を、右下の画素に表示誤差の１／１６を加える。
【００２７】
誤差拡散部２３の動作を図１２でより詳しく説明する。ある座標の映像信号は上述のように誤差を拡散するとともに、以前の映像が拡散した誤差が加算される。入力された１０ビットのデータは、まず、以前の映像が拡散した誤差が誤差バッファにより加算される。入力映像信号データは誤差バッファの値が加算された後、上位の６ビットと下位の４ビットに分割される。
【００２８】
分割された下位の４ビットの値を以下に示す。右側の値は表示誤差である。
下位４ビット  表示誤差
００００      ０
０００１      ＋１
００１０      ＋２
００１１      ＋３
０１００      ＋４
０１０１      ＋５
０１１０      ＋６
０１１１      ＋７
１０００      −７
１００１      −６
１０１０      −５
１０１１      −４
１１００      −３
１１０１      −２
１１１０      −１
１１１１      ０
【００２９】
分割された下位の４ビットの値に対応する表示誤差は、図１２のように誤差バッファへと加算され保持される。また、分割された下位の４ビットの値に対してスレッショルド比較を行ない、値が１０００より大きい場合（上記の左部の値が１０００である行以降の行）、上位６ビットの値に１が加算される。そして、上位の６ビットのデータが誤差拡散部から出力される。
【００３０】
図７に戻り、誤差拡散部２３にて（Ｍ＋Ｆ）ビットに変換された映像信号データは、フレームレートコントロール部２４に入力される。フレームレートコントロール部２４はフレームレートコントロールテーブルを備えている。フレームレートコントロール部２４では、下位Ｆビットの値と、画素の位置情報及びフレームのカウント情報から、フレームレートコントロールテーブル内の位置を特定し、その値（１または０の値、以下０／１と記載する。）が上位Ｍビットに加えられ、Ｍビットのデータに変換される。ここで、フレームレートコントロール方式とは、表示素子の１画素の表示に対してｍ（ｍ：ｍ≧２、自然数）フレームを１周期として、その周期のｎ（ｎ：ｎ＞０、ｍ＞ｎ、自然数）フレームではオン表示を行ない、残りの（ｍ−ｎ）フレームではオフ表示を行うことにより疑似的に階調を表示させる方式である。
【００３１】
図８の例では、誤差拡散部２３により出力された６ビットのデータは、フレームレートコントロール部２４に入力される。フレームレートコントロール部２４は、下位２ビットの情報と、表示エリアでの位置情報およびフレームカウンタ情報より、フレームレートコントロールテーブルから０／１の値を導き、入力された６ビットから分離された上位４ビットの値に加算する。
【００３２】
フレームレートコントロール部２４の動作を図１３で具体的に説明する。入力された６ビットのデータは、上位の４ビットと下位の２ビットに分割される。入力された６ビットデータの下位２ビットと、画素の表示エリアでの位置情報（すなわち、座標データであるＸ座標の下位ビットおよびＹ座標の下位２ビット）と、フレームカウンタの下位２ビットとの合計８ビットの値を用いて、図１４のフレームレートコントロールテーブルで示される“０”か“１”の値を特定する。特定された“０”か“１”の値は上位４ビットのデータに加算して、４ビットデータとして出力される。
【００３３】
図８に戻り、フレームレートコントロール部２４から出力された４ビットデータは図７で示されているリミッタ部２５にて駆動階調の最大値である１２に制限された後、サブフレームデータ作成部２６にて、反射型液晶表示素子６へ転送されるべき１２ビットのデータに変換される。１２ビットのデータへの変換は駆動階調テーブル２７を使用する。
【００３４】
図７に戻り、サブフレームデータ作成部２６から出力された１２ビットのデータは、メモリ制御部２８にて、サブフレーム毎に分割されたフレームバッファ２９に格納される。フレームバッファ２９はダブルバッファの構造になっており、フレームバッファ０にデータを格納中は、フレームバッファ１のデータがデータ転送部を経由して反射型液晶表示素子６に転送されることになり、次のフレームでは、前フレーム期間中に格納されたフレームバッファ０のデータがデータ転送部３０を経由して液晶表示素子６に転送され、フレームバッファ１には入力された映像信号データのサブフレームデータ作成部２６からの出力データが格納される。
【００３５】
駆動制御部３１は、サブフレーム毎の処理のタイミング等を制御しており、データ転送部３０への転送指示およびゲートドライバ３４の制御を行う。データ転送部３０は、駆動制御部３１からの指示に従い、メモリ制御部２８に指示を行ない、指定したサブフレームのデータをメモリ制御部２８から受け取りソースドライバ３３へと転送する。ソースドライバ３３は、１ライン分のデータをデータ転送部３０より受け取る毎に、反射型液晶表示素子６の対応する画素回路７へ列データ線Ｄ０−Ｄｎを用いて同時に転送する。この時、ゲートドライバ３４では、駆動制御部３１からの垂直スタート信号（ＶＳＴ）／垂直シフトクロック信号（ＶＣＫ）により指定された行の行選択線Ｗｙをアクティブにし、指定された行ｙの全ての列の画素へとデータが転送される。
【００３６】
図９を用いて第１の実施形態における駆動パターンについて説明する。図９は、映像信号が１秒あたり１２０フレーム、サブフレーム数が１２個の場合について示している。ＷＣは液晶表示素子内の全ての画素にサブフレーム毎のデータを転送するデータ転送期間（ＷＣ期間）を表している。ＤＣは、液晶を駆動する際の駆動期間（ＤＣ期間）を表している。ＷＣ期間は３４７[μs]、ＤＣ期間を３４７[μs]としている。１フレームにおいて、ＷＣ期間とＤＣ期間が交互に１２回連続する。時間的に先頭からＳＦ１、ＳＦ２、…、ＳＦ１１、ＳＦ１２の順番でそれぞれのサブフレームに割り当てられた０または１のデータがＷＣ期間にて転送され、ＤＣ期間全ての画素の液晶が駆動される。画素内にサンプルホールドされたデータが０の場合は、その画素はブランキング状態となり、１の場合は駆動状態となる。
【００３７】
次に、図１０に示す第１の実施形態における駆動階調テーブルについて説明する。図９と同様、映像信号は１秒あたり６０フレーム、サブフレーム数が１２個、データ転送期間（ＷＣ期間）は３４７[μs]、駆動期間（ＤＣ期間）を３４７[μs]としている。図１０は駆動階調に対するサブフレーム毎のＤＣ期間の状態を示している。図１０の縦の欄の階調とは、フレームレートコントロール部２４で得た４ビットのデータであってリミッタ部２５にて駆動階調の最大値である１２で制限されたものである。ＳＦ１−ＳＦ１２は１フレーム内のサブフレームの順番を表している。ＤＣ期間の欄が１の場合は駆動状態であることを示す。ＤＣ期間の欄が０の場合はブランク状態であることを示す。
【００３８】
図１０の縦の欄に示す階調が１の場合、最後のサブフレームであるＳＦ１２のみが駆動状態となる。階調が２の場合、ＳＦ１１とＳＦ１２だけが駆動状態となる。以下、階調の数が増える毎に駆動状態となるサブフレームが増えていき、最も高い階調である１２の場合、全てのサブフレームが駆動状態となる。言い換えると、階調の数が増えるにしたがい、駆動状態となるサブフレームが時間的に前方に増えていく。
【００３９】
第１の実施形態においては、クロストークの発生が抑制されるという効果が得られる。以下説明する。図１５は、クロストークの発生を説明するための画面を示す図である。図１５は、低い階調（Ｌ）の中に高い階調（Ｈ）の円形の領域が存在する画面を２Ｄ表示している。
【００４０】
図１６は図１５の画像を立体映像表示装置にて３Ｄ（立体）表示をしたときに液晶表示装置１００からスクリーン上の投影される像を示す図である。スクリーンには図１６のように右目の画像と左目の画像が時間的に重ねて表示される。図１７は、図１６に示す領域１、領域２、領域３、領域３‘のそれぞれについて、画面の階調の時間変化を示す図である。図１７のように、領域１では階調Hが、領域２では階調Lが連続して表示されるのに対して、階調３および階調３’では階調Hと階調Lが時間的に交互に表示される。
【００４１】
図１８は図１５の画像を立体映像表示装置にて立体（３Ｄ）表示をしたときに液晶シャッタめがね１０５を装着した際の見え方を示す図である。観察者には、図１８のように、領域１では階調Hに、領域２では階調Lに見える。領域３は階調Lに見えなければならない。しかし、前のフィールド（右目用フィールド）の階調がＨであることが原因で階調Lよりも高い階調に表示されてしまう場合がある。そのような場合、領域３の階調は右目の信号の階調（階調Ｈ）に近づくため、観察者には、クロストーク現象として認識される。
【００４２】
反射型液晶表示素子６の駆動がアナログ駆動である場合、信号レベルに応じた駆動電圧を印加して階調を再現する。液晶の応答速度は、液晶の駆動電圧が高いときよりも、中間階調に対応した駆動電圧のときに遅くなるという傾向を有する。そのため、後のフレームに及ぼす影響が大きい。したがって、階調Ｌを再現しなければならないのに、前のフレーム（右目用フレーム）の階調がＨであることが原因で階調Lよりも高い階調に表示されてしまい、クロストーク現象が発生してしまう。デジタル駆動において、後述する図２０に示す階調駆動テーブルを用いる方法ではクロストーク現象が発生してしまうが、アナログ駆動の場合クロストークの程度が顕著に発生する。
【００４３】
図１９は領域２と領域３における液晶の応答特性を比較した図である。反射型液晶表示素子６には、フレームＦ２では左目用信号（階調Ｌ）が入力されている。フレームＦ１では、領域３では右目用信号（階調Ｈ）が、領域２では右目用信号（階調Ｌ）が入力されている。液晶表示素子は、フレームＦ２では、領域２、３ともに同じ階調Lを表示すべきであるが、前のフレーム（フレームF1)の階調のレベルに影響され、表示される輝度が異なってしまう。
【００４４】
本実施形態における図１０の駆動階調テーブルによるデジタル駆動では、上記の様なクロストーク現象を抑制することができる。図２０に示す階調駆動テーブルを比較例として以下、クロストーク現象の抑制効果を説明する。
【００４５】
図２０は図１０同様に、駆動階調に対するサブフレーム毎のＤＣ期間の状態を示す図である。図１０と同様、１秒あたり１２０フレームの映像信号で、サブフレーム数が１２個の場合について説明する。データ転送期間（ＷＣ期間）は３４７[μs]、駆動期間（ＤＣ期間）を３４７[μs]とする。すなわち、図２０の縦の欄の階調とは、フレームレートコントロール部２４で得た４ビットのデータであってリミッタ部２５にて駆動階調の最大値である１２で制限されたものである。ＳＦ１−ＳＦ１２は１フレーム内のサブフレームの順番を表している。ＤＣ期間の欄が１の場合は駆動状態であることを示す。ＤＣ期間の欄が０の場合はブランク状態であることを示す。
【００４６】
図２１は、Ｆ２フィールドが階調Ｌ、Ｆ１フィールドが階調Ｈおよび階調Ｌの場合において、駆動階調テーブルが比較例である図２０の場合（Ａ、Ｂ）と第１の実施形態である図１０の場合（Ｃ、Ｄ）との駆動状態を模式的に比較した図である。比較例の階調駆動テーブルの場合（Ａ、Ｂ）をまず説明する。Ａでは、高い階調であって長い駆動状態の期間（Ｈ）の後のブランキング状態の期間（Ｐ１）が短い。Bでは低い階調であって短い駆動状態の期間（L）の後のブランキング状態の期間（Ｐ２）が長い。ブランキング状態の期間が異なるとAとBにおけるＦ２フレームでの表示のレベルが異なってしまう。具体的には、前のフレームの影響具合が異なることにより、次フレームの低い階調の駆動状態の期間（Ｌ）で表示される輝度を表示されるべき輝度よりも押し上げてしまう。一方、第１の実施形態におけるＣおよびDでは、高い階調であっても低い階調であってもＦ２フレームのブランキング状態の期間の長さが同じであるので、同じ明るさが表示される。
【００４７】
図２１では階調Lについて注目したが、階調Hに注目しても同様の結果となる。図２２は、図２１において注目する階調をＨとした場合の比較を示す図である。Ａ’およびＢ’は駆動階調テーブルが比較例である図２０の場合、Ｃ’およびＤ’は駆動階調テーブルが第１の実施形態である図１０の場合である。Ａ２’およびＢ２’においてＦ２はどちらも階調Ｈのため同じ明るさが表示されなければならないが、前フレームにおけるブランキング状態の期間の長さが異なる（Ｐ１’≠Ｐ２’）ため、異なった明るさが表示されてしまう。これがクロストークの原因となる。次に、Ｃ２’とＤ２’に注目する。Ｆ２での階調はどちらも階調Ｈである。前フレームの階調が異なっているがブランキング状態の期間の長さが等しい（Ｐ３’＝Ｐ４’）ため、同じ明るさを表示することができる。すなわち、クロストークを抑制することが出来る。
【００４８】
以上の説明のように、前フレームの階調の高低のいかんによらず、前フレームの立ち下がりから現在のフレームが立ち上がるまでのブランキング状態の期間を等しくすることによってクロストーク現象を抑制するという効果が得られる。
【００４９】
液晶シャッタめがね１０５の応答速度が遅くシャッタの開閉に時間を要する場合や反射型液晶表示素子６の応答速度が遅く表示する映像の切り換えに時間を要する場合には、映像信号のレベルを変更してもよい。図２３は、信号処理回路１０１と駆動回路１０２の間に挿入する映像信号減衰部１０５を示す図である。映像信号のレベルの変更は、信号処理回路１０１と駆動回路１０２の間に挿入する映像信号減衰部１０５で行う。映像信号減衰部１０５は制御部１０６で行う。映像信号減衰部１０５の設定を観察者がたとえばリモコン等から設定できても良い。ここで映像信号減衰部１０５を用いて、下記の演算式により、新たな映像レベルを算出する。
新たな映像レベル＝  係数Ｘ  ×  入力信号の映像レベル
ただし、0  ＜  Ｘ  ＜  １
ここで例えばＸを０．８8とすると、入力信号レベルが２５５の場合には新たな映像レベルは２０４と算出され、入力信号として最大映像レベルの２５５が入力された場合でも新たな映像レベルとして２０４が出力され、駆動回路以降２０４として扱われる。つまり、Ｘが１未満であった場合入力信号のレベルによらず駆動回路以降では最大表示階調まで満たされることが無くなり、フレーム毎に必ずブランキング期間が挿入されることになる。
【００５０】
ブランキング期間が挿入されることで、液晶シャッタのＯＮ／ＯＦＦ切り換え時や、映像切り換え時に左右の目の映像が混合するのを防ぐことができる。液晶シャッタの応答速度が遅いシャッタの開閉に時間を要する場合にはブランキング期間は液晶シャッタが立ち下がり又は立ち上がり始めるタイミングから開始し液晶シャッタが立ち下がりきる又は立ち上がりきるタイミングに終了するのがよい。
【００５１】
一般的に液晶の応答速度は温度によって変化し、温度が高いほど応答速度が増加する傾向にある。そのため、信号減衰部の係数Ｘの値は固定値でもよいし、温度検出手段を設けて反射型液晶表示素子または液晶シャッタめがねの液晶シャッタの温度をフィードバックしその温度にしたがって係数Ｘの値を変化させてもよい。またそれらの温度検出が難しい場合には、外気温など別のパラメータに基づいて係数Ｘの値を変化させてもよい。
【００５２】
図２４は第１の実施形態における信号処理を示す図である。図２５は第１の実施形態における反射型液晶表示素子６の極性反転駆動を示す図である。以下図３、図７、図９を参照しつつ、図２４において信号処理を説明する。
【００５３】
図２４において、時刻Ｔ０にて垂直同期信号Ｖｓｙｎｃがアクティブになり、最初に、時刻Ｔ０−Ｔ１の期間にてサブフレーム１（ＳＦ１）のデータを反射型液晶表示素子６に転送する。この期間（Ｔ０−Ｔ１）が転送期間ＷＣとなる。転送期間ＷＣの間、反射型液晶表示素子６は画素内のサンプルホールドされた値に関わらず、ブランキング状態とする必要があり、Ｖ０／Ｖ１／Ｖｃｏｍは同じ電圧（ここではＧＮＤ）を設定する。ここで、Ｖ０はブランキング電圧、Ｖ１は駆動電圧、Ｖｃｏｍ（共通電圧）は液晶の対向電極１０の電圧である。時刻Ｔ１にて転送が終わり、次の期間（Ｔ１−Ｔ３）は駆動期間ＤＣとなる。時刻Ｔ２は期間（Ｔ１−Ｔ３）のちょうど中間となり、期間（Ｔ１−Ｔ２）と期間（Ｔ２−Ｔ３）は同じ時間となる。期間（Ｔ１−Ｔ２）ではＶ１がＶｗ、Ｖ０／ＶｃｏｍがＧＮＤとなるように、また、期間（Ｔ２−Ｔ３）では期間（Ｔ１−Ｔ２）とは反対に、Ｖ１がＧＮＤ、Ｖ０／ＶｃｏｍがＶｗとなるように電圧制御部３２にて制御される。
【００５４】
画素回路７内のサンプルホールドの値が“０”の場合、画素回路７内の電圧選択回路１７にてＶ０が画素電極８に印加される。期間Ｔ１−Ｔ２では、画素電極電圧Ｖｐｅと対向電極電圧ＶｃｏｍはともにＧＮＤとなる。液晶９にかかる電圧は０［ｖ］となり、液晶の駆動状態はブランキング状態となる。
【００５５】
画素内のサンプルホールドの値が“１”の場合、画素回路７内の電圧選択回路１７にてＶ１が画素電極８に印加される。期間Ｔ１−Ｔ２では、画素電極電圧ＶｐｅはＶｗ、対向電極電圧ＶｃｏｍはＧＮＤとなる。液晶９にかかる電圧は＋Ｖｗ（対向電極基準）となり、液晶は駆動状態となる。期間Ｔ２−Ｔ３では、画素電極電圧ＶｐｅはＧＮＤ、対向電極電圧ＶｃｏｍはＶｗとなり、液晶９にかかる電圧は−Ｖｗ（対向電極基準）となり、駆動状態となる。
【００５６】
液晶に同じ電圧で方向の異なる電圧（＋Ｖｗ／−Ｖｗ）を同じ期間印加することにより、長時間平均して液晶に印加する電圧を＋Ｖｗ＋（−Ｖｗ）＝０［ｖ］とすることにより、焼き付きを防止している。ＳＦ２−ＳＦ１２もＳＦ１の期間Ｔ０−Ｔ３と同様な電圧制御を行う。図２５において、期間（Ｔ１−Ｔ２）に相当する状態、すなわち、Ｖ１がＶｗ、Ｖ０／ＶｃｏｍがＧＮＤとなるような状態をＤＣバランス＋と表している。また、期間（Ｔ２−Ｔ３）に相当する状態、すなわち、Ｖ１がＧＮＤ、Ｖ０／ＶｃｏｍがＶｗとなるような状態をＤＣバランス−と表している。
【００５７】
ところで第１の実施形態においては、表示素子としてアクティブマトリクス型の反射型液晶表示素子６を備えた投射型表示装置を例にして説明している。ここで、図１０の階調駆動テーブルで液晶を駆動する場合の特徴を説明する。図１０において、階調がＫ（Ｋ≧１）であるとする。するとＳＦ（１３−Ｋ）からＳＦ１２までが１（駆動状態）となる。ＳＦ（１３−Ｋ）からＳＦ１２までの１は、ほぼ連続したオン状態とみなされる結果、Ｋ（階調数）と出力光の関係はほぼ図３に示す反射型液晶表示素子６の入力電圧と出力光の強度との関係に近いカーブを描く。これは、ルックアップテーブル部２１の動作に有利に作用する。すなわち、反射型液晶表示素子６の入力電圧と出力光の強度との関係はルックアップテーブル部２１が目標としているガンマ２．２のカーブに比較的近いため、ルックアップテーブル部２１にてガンマ２．２のカーブに変換する負担が少なくなる。以上の特徴は、透過型液晶素子においても同様である。
【００５８】
また、第１の実施の形態では、図９、図１０に示す通り、動画擬似輪郭の原因となるバイナリビットパルスを用いず、すべて同じ幅のステップビットパルスを用いている点も特徴である。バイナリビットパルスとは各サブフィールドに対して重みが２n （ｎ＝０、１、２、３…）で表されるいわゆる“バイナリの重み付け”を行うものである。一方、ステップビットパルスとは、１、２、４、８、１６のバイナリビットパルスがある場合、３２、３２、３２、３２、３２、３２、３２のような同じ重み付けのパルスのことをいう。すべてバイナリビットパルスにする場合と比較して、ステップビットパルスを併用することで動画擬似輪郭を相対的に軽減する効果がある。
【００５９】
動画擬似輪郭とは、隣り合った画素の似たような階調において、片方の画素でのバイナリビットパルスの多くが駆動状態であり、もう片方の画素でのバイナリビットパルスの多くがブランキング状態である場合、視線を動かした時や、顔のアップ等が動いたときに、意図しない輝度が眼で知覚されることをいう。本実施形態では、動画擬似輪郭の原因となるバイナリビットパルスを用いず、すべて同じ幅のステップビットパルスを用いている。そのため視線方向を動かした場合でも、輝度が著しく変化しないため、動画擬似輪郭はほとんど知覚されない。
【００６０】
次に、反射型液晶表示素子を用いた液晶表示装置の駆動回路にフレームレートコントロール部をもうけたことによる効果を説明する。図２６は、反射型液晶素子における横方向電界の発生メカニズムを説明する図である。図２６に示されるように反射型液晶素子の画素電極８Ａ、８Ｂはシリコン基板４３の上に形成されている。
【００６１】
デジタル駆動の場合、隣り合った画素間で駆動状態（駆動／ブランキング）が異なることが頻繁に起こる。例えば、あるフレームにおいて隣り合った画素の階調がそれぞれ“５”（画素ＰＡ）と“６”（画素ＰＢ）の場合を仮定する。またＤＣバランス＋で、対向電極１０がＶ０の場合を考える。すなわち、図２５においてＤＣバランス＋であるから、Ｖ０＝Ｖｃｏｍ＝０（Ｖ）、V1＝Vｗである。サブフレーム６の時刻では、隣り合った画素の駆動状態が異なる。図１０からわかるように、画素ＰＡはブランキング状態なので、画素電極８ＡにはＶ０の電圧がかかり、画素ＰＢは駆動状態なので、画素電極８ＢにはＶ１の電圧がかかっている。
【００６２】
画素電極８ＡにはＶ０の電圧がかかり、画素電極８ＢにはＶ１の電圧がかかっているときの液晶層の電界４１の状態を図２５は示している。画素ＰＢの画素電極８Ｂ（電位：Ｖｗ）と対向電極１０（電位：０（Ｖ））間には電位差が生じ、液晶は所定量の回転をさせられる。このとき、画素ＰＡの画素電極８Ａ（電位：０（Ｖ））と画素ＰＢの画素電極８Ｂ（電位：Ｖｗ）間にも電位差が生じ、横方向に電界が生じてしまう。このような、横方向電界４２は、画素間の液晶の動きに意図しない混乱を発生させる。上記の現象は、画質劣化の一因であった。
【００６３】
フレームレートコントロールを用いることで上記の不具合を解消することができる。図２７はフレームレートコントロールにより、横方向電界が均等に分散されることを説明する図である。
【００６４】
図２７では、フレームレートコントロール部への入力データ（（Ｍ＋Ｆ）ビット）の下位Ｆビットの値が“０１”である場合が例示されている。フレーム毎に４個のテーブル（フレーム０〜３）が用いられる。それぞれのフレームにおいて、隣り合った画素間で駆動状態（駆動またはブランキング）が異なる場合、駆動状態が「１」（駆動状態）である画素から駆動状態が「０」（ブランキング状態）である画素の方向に横方向の電界が生じる。画素間の横方向電界の方向は図１７において矢印で表されている。４個のフレームでの横方向電界の状態を重ね合わせたのが、一番右の状態である。すなわち、４フレームの平均では、すべての画素間での横方向電界は打ち消しあっている。以上のように、フレームレートコントロールを用いることにより、画質劣化の一因である横方向電界を打ち消すことが可能となった。
【００６５】
＜第２の実施形態＞
図２８は本発明の第２の実施形態に係る駆動回路を示すブロック図である。本実施形態に係る駆動回路では、図７に示す第１の実施形態の駆動回路と比較すると、ルックアップテーブル部２１が、信号変換部２２に変更されている点が異なっている。誤差拡散部２３以降の構成は第１の実施形態の駆動回路と同じである。
【００６６】
図２９は、第２の実施の形態における駆動パターンの１例を示す図である。本実施形態の駆動パターンは、第１の実施形態の駆動パターンと同様、映像信号が１秒あたり１２０フレーム、サブフレーム数が１２個、データ転送期間（ＷＣ期間）が３４７[μs]である。一方、第１の実施形態の場合、全サブフレームの駆動期間が同じ時間であったのに対し、図２９での各サブフレーム毎の駆動期間（ＤＣ期間）の時間は異なっている。
【００６７】
図３０は第２の実施の形態における各サブフレーム毎の駆動期間（ＤＣ期間）が第１の実施の形態に対して変更されていることを説明した図である。図２９、図３０では、駆動階調の設定は第１の実施形態に従っている。すなわち、第１の実施形態における図１０の縦の欄に示す階調が１の場合、最後のサブフレームであるＳＦ１２のみが駆動状態となる。階調が２の場合、ＳＦ１２とＳＦ１１だけが駆動状態となる。以下、階調の数が増える高くなる毎に駆動状態となるサブフレームが増えていき、最も高い階調である１２の場合、全てのサブフレームが駆動状態となる。言い換えると、階調の数が増えるにしたがい、駆動状態となるサブフレームが時間的に前方に増えていく。
【００６８】
図３０において各サブフレーム毎の期間が第１の実施の形態に対して変更されている点について以下に説明する。図４のルックアップテーブル部２１は反射型液晶表示素子６の入出力特性を変換してガンマ２．２の入出力特性を有する液晶表示装置を実現する機能を担っている。第２の実施形態においては、入出力特性の変換機能を「各サブフレーム毎の駆動期間（ＤＣ期間）の時間を異ならせる」ことで果たしている。以下、具体的に説明する。図３１は第２の実施の形態において、各サブフレーム期間を調節して、駆動階調毎の輝度がガンマ２．２の線上にあることを表している図である。第２の実施形態では、例えば駆動階調毎の輝度特性が図３１のようなガンマ２．２の線上になるように、あらかじめ、各サブフレーム毎のＤＣ期間を図３０のように設定してある。
【００６９】
上記の結果、ルックアップテーブル部に対して逆ガンマ補正の機能を省くことができる。その結果、ルックアップテーブルを用いるルックアップテーブル部２１からルックアップテーブルを使用しない信号変換部２２に変更することができる。ルックアップテーブル部２１を信号変換部２２に変更することは、コスト削減の効果を有する。
【００７０】
以下、信号変換部２２を説明する。第２の実施形態においては、補間駆動階調自体にガンマ２．２の輝度特性があるため、
入力階調Ｘ：補間駆動階調Ｙ＝２５５（最大入力階調）：７６８（最大補間駆動階調）
の関係式から、下記に示す演算式を用いることが可能となっている。信号変換部２２は下記演算式を用いて入力される映像信号データを演算する。
出力データＹ：（Ｍ＋Ｆ＋Ｄ）ビット＝入力データＸ  ×  ７６８  ／ ２５５
ここで、７６８：最大補間駆動階調（すなわち、１１００００００００）
２５５：最大駆動階調
ここで、駆動階調とは、図９、１０、２０に表される、素子単体での階調を表している。また、補間駆動階調とは、誤差拡散部およびフレームレートコントロール部にて補間される擬似階調を含む階調を表している。
【００７１】
また、第２の実施形態においても、第１の実施形態での効果は同等に有している。
【００７２】
第１、第２の実施形態において、入力された映像信号データのビット数をＮ、表示素子の駆動可能な階調数を２進数で表したときのビット数をＭ、誤差拡散処理により誤差として拡散されるビット数をＤ、フレームレートコントロールにより擬似的な階調として表現されるビット数をＦとしたとき、Ｎ＝８、Ｍ＝４、    Ｄ＝４、Ｆ＝２である場合について説明した。しかし、Ｎ、Ｍ、Ｄ、Ｆの値は上記の値に限定されず、種々の値を用いて実施することができる。そのなかでも、Ｎ＝８〜１２、Ｍ＝４〜６、Ｄ＝４〜８、Ｆ＝２〜３であることがより好ましい。
【符号の説明】
【００７３】
１  照明光学系、２  光、３  Ｓ偏光、４  Ｐ偏光、
５  偏光ビームスプリッタ（ＰＢＳ）、６  反射型液晶表示素子  
７  画素回路、８  画素電極、９  液晶、１０  対向電極（透明電極）、
１１  投射レンズ、１２  射出光、１３  スクリーン、
１５  サンプルホールド部、１７  電圧選択回路、
２１  ルックアップテーブル部、２２信号変換部、
２３  誤差拡散部、２４  フレームレートコントロール部、
２５  リミッタ部、２６  サブフレームデータ作成部、
２７  駆動階調テーブル、２８  メモリ制御部、２９  フレームバッファ、
３０  データ転送部、３１  駆動制御部、３２  電圧制御部、
３３  ソースドライバ、３４  ゲートドライバ
４１電界、４２  横方向電界、４３  シリコン基板
１００  投射型液晶表示装置、１０１  信号処理回路（信号処理部）、
１０２、１０２０  駆動回路（駆動装置）、
１０３  液晶シャッタ駆動信号送信機、
１０４  立体映像信号源、１０５  液晶シャッタめがね、
１０５  映像信号減衰部、１０６  制御部
【図１】
0005605175.tif 000002
【図２】
0005605175.tif 000003
【図３】
0005605175.tif 000004
【図４】
0005605175.tif 000005
【図５】
0005605175.tif 000006
【図６】
0005605175.tif 000007
【図７】
0005605175.tif 000008
【図８】
0005605175.tif 000009
【図９】
0005605175.tif 000010
【図１０】
0005605175.tif 000011
【図１１】
0005605175.tif 000012
【図１２】
0005605175.tif 000013
【図１３】
0005605175.tif 000014
【図１４】
0005605175.tif 000015
【図１５】
0005605175.tif 000016
【図１６】
0005605175.tif 000017
【図１７】
0005605175.tif 000018
【図１８】
0005605175.tif 000019
【図１９】
0005605175.tif 000020
【図２０】
0005605175.tif 000021
【図２１】
0005605175.tif 000022
【図２２】
0005605175.tif 000023
【図２３】
0005605175.tif 000024
【図２４】
0005605175.tif 000025
【図２５】
0005605175.tif 000026
【図２６】
0005605175.tif 000027
【図２７】
0005605175.tif 000028
【図２８】
0005605175.tif 000029
【図２９】
0005605175.tif 000030
【図３０】
0005605175.tif 000031
【図３１】
0005605175.tif 000032